(57)【特許請求の範囲】
【請求項１】
洗濯物を収納し略水平方向に回転軸を有する回転ドラムと、前記回転ドラムを内部に回転自在に配設する外槽と、前記回転ドラムの開口部を開閉する蓋体と、前記蓋体を閉状態にロックするロック装置と、前記ロック装置をロック状態に保持する保持装置と、スタート・一時停止スイッチを有する入力設定手段と、前記回転ドラムを回転駆動するモータと、前記モータの回転数を検知することで前記回転ドラムの回転数を検知する回転数検知手段と、前記外槽内の洗濯水の水位を検知する水位検知手段と、前記入力設定手段、回転数検知手段および水位検知手段等の出力を入力し前記保持装置およびモータ等を制御する制御手段とを備え、前記制御手段は、前記入力設定手段の前記スタート・一時停止スイッチにより運転を一時停止したとき、前記水位検知手段により検知した前記外槽内の水位が所定水位以下で、前記回転数検知手段により前記回転ドラムが回転を停止したことを検知した後、前記保持装置が、前記ロック装置のロック状態を解除するように構成したランドリー機器の蓋ロック装置。
【請求項２】
外槽内に給水する給水手段を備え、制御手段は、前記給水手段の動作を伴う行程では、保持装置が、ロック装置のロック保持状態を解除しないように構成した請求項１記載のランドリー機器の蓋ロック装置。
【請求項３】
回転ドラム内の洗濯物を乾燥する乾燥行程を有し、制御手段は、乾燥行程においては、保持装置が、ロック装置のロック保持状態を解除しないように構成した請求項１記載のランドリー機器の蓋ロック装置。
【発明の詳細な説明】
【０００１】
【発明の属する技術分野】
本発明は、機器本体の開口部を開閉する蓋体をロックするランドリー機器の蓋ロック装置に関するものである。
【０００２】
【従来の技術】
従来、この種の蓋ロック装置を備えたランドリー機器は図７に示すように構成していた。以下、その構成について説明する。
【０００３】
図に示すように、回転ドラム１は、外周部に多数の通水孔２を全面に設け、外槽３内に回転自在に配設している。回転ドラム１の回転中心に回転軸４の一端を固定し、回転軸４の他端にドラムプーリー５を固定している。モータ６は、ベルト７によりドラムプーリー５と連結し、回転ドラム１を回転駆動する。機器本体８の開口部に蓋体９を開閉自在に設け、ロック装置（図示せず）により蓋体９を閉状態に保持するように構成している。回転ドラム１に熱風供給手段（図示せず）より熱風を供給するように構成している。
【０００４】
外槽３は、機器本体８よりばね体１０で吊り下げ、防振ダンパー１１により脱水時の振動が機器本体８に伝達されないように防振支持するとともに、脱水時の振動を低減する重り１２を設けている。ヒータ１３は、外槽３内の洗濯水を加熱するものである。制御装置１４は、モータ６、ヒータ１３、熱風供給手段などの動作を制御し、入力設定手段（図示せず）により異なる洗い時間、すすぎ回数、脱水時間を有する「標準コース」、「スピーディー」コース、「毛布」コース、「ウール」コースなどの洗濯行程と、乾燥行程とを設定可能とし、設定したコースを逐次制御する。また、制御装置１４は、運転中に蓋体９を開くことができないようにロック装置を保持するように構成している。
【０００５】
上記構成において動作を説明すると、蓋体９を開いて回転ドラム１内に洗濯物を投入し、運転を開始すると、蓋体９に設けたロック装置を保持し、蓋体９を開くことができない状態にする。洗い行程では、回転ドラム１はモータ６によって低速で回転駆動され、回転ドラム１内の洗濯物は持ち上げられて水面上に落下される。こうして「洗い」が進行する。「すすぎ」においても「洗い」と同様の動作を行う。
【０００６】
「脱水」では、回転ドラム１は高速で回転駆動され、洗濯物は遠心脱水される。このとき、回転ドラム１内の洗濯物の片寄り、すなわちアンバランスが生じると、回転ドラム１および外槽３は振動するが、防振ダンパー１１により振動を減衰して機器本体９に伝達されることはない。「脱水」が終了すると、蓋体９に設けたロック装置の保持を解除し、蓋体９を開くことができるようにし、洗濯物を取り出す。
【０００７】
また、洗濯行程と乾燥行程とを設定すると、洗濯物を洗濯、すすぎ、脱水した後、熱風供給手段より回転ドラム１に熱風を供給し、回転ドラム１内の洗濯物を乾燥する。乾燥行程が終了すると、蓋体９に設けたロック装置の保持を解除し、蓋体９を開くことができるようにし、洗濯物を取り出す。
【０００８】
したがって、蓋体９は、通常は、手動操作によって自由に開閉することができ、洗濯物を投入または取り出すことができ、また、運転を開始すると、自動的に蓋体９を開くことができない状態にし、不用意に蓋体９を開くことにより回転ドラム１内の洗濯水が飛散したり、熱風供給手段からの熱風が噴出するのを防止することができる。
【０００９】
【発明が解決しようとする課題】
このような従来の構成では、運転を開始すると、蓋体９を開くことができないようにロック装置を保持するように構成しているため、運転の途中で洗濯物の追加、または取り出しができないという問題を有していた。
【００１０】
運転の途中でも蓋体９を開けるようにして、洗濯物の追加、取り出しができるように構成すると、洗濯行程で、回転ドラム１内に所定の水位まで給水して回転しているとき、または回転ドラム１に給水しているときに蓋体９を開くと、機器本体８の開口部より水が飛散し、乾燥行程で蓋体９を開くと、熱風供給手段からの熱風が噴出するという問題を有していた。
【００１１】
本発明は上記従来の課題を解決するもので、外槽内の水位が所定水位以下で、回転ドラムが回転を停止したことを検知したときに、外部からの操作で蓋体を開閉できるようにし、運転の途中で洗濯物の追加、または取り出しができるようにすることを目的としている。
【００１２】
【課題を解決するための手段】
本発明は上記目的を達成するために、洗濯物を収納し略水平方向に回転軸を有する回転ドラムと、回転ドラムを内部に回転自在に配設する外槽と、回転ドラムの開口部を開閉する蓋体と、この蓋体を閉状態にロックするロック装置と、ロック装置をロック状態に保持する保持装置と、回転ドラムを回転駆動するモータと、モータの回転数を検知することで回転ドラムの回転数を検知する回転数検知手段と、外槽内の洗濯水の水位を検知する水位検知手段と、入力設定手段、回転数検知手段および水位検知手段等の出力を入力し保持装置およびモータ等を制御する制御手段とを備え、制御手段は、入力設定手段のスタート・一時停止スイッチにより運転を一時停止したとき、水位検知手段により検知した外槽内の水位が所定水位以下で、回転数検知手段により回転ドラムが回転を停止したことを検知した後、保持装置が、ロック装置のロック状態を解除するように構成したものである。
【００１３】
これにより、外槽内の水位が所定水位以下で、回転ドラムが回転を停止したことを検知したときに、外部からスタート・一時停止スイッチを操作することで蓋体を開閉することができ、運転の途中で洗濯物の追加、または取り出しをすることができる。
【００１４】
【発明の実施の形態】
本発明の請求項１に記載の発明は、洗濯物を収納し略水平方向に回転軸を有する回転ドラムと、前記回転ドラムを内部に回転自在に配設する外槽と、前記回転ドラムの開口部を開閉する蓋体と、前記蓋体を閉状態にロックするロック装置と、前記ロック装置をロック状態に保持する保持装置と、スタート・一時停止スイッチを有する入力設定手段と、前記回転ドラムを回転駆動するモータと、前記モータの回転数を検知することで前記回転ドラムの回転数を検知する回転数検知手段と、前記外槽内の洗濯水の水位を検知する水位検知手段と、前記入力設定手段、回転数検知手段および水位検知手段等の出力を入力し前記保持装置およびモータ等を制御する制御手段とを備え、前記制御手段は、前記入力設定手段の前記スタート・一時停止スイッチにより運転を一時停止したとき、前記水位検知手段により検知した前記外槽内の水位が所定水位以下で、前記回転数検知手段により前記回転ドラムが回転を停止したことを検知した後、前記保持装置が、前記ロック装置のロック状態を解除するように構成したものであり、外部からスタート・一時停止スイッチを操作することで、水位検知手段により検知した前記外槽内の水位が所定水位以下で、前記回転数検知手段により前記回転ドラムが回転を停止したことを検知した後、蓋体を開閉することができ、運転の途中で洗濯物の追加、または取り出しをすることができる。
【００１５】
請求項２に記載の発明は、上記請求項１に記載の発明において、外槽内に給水する給水手段を備え、制御手段は、前記給水手段の動作を伴う行程では、保持装置が、ロック装置のロック保持状態を解除しないように構成したものであり、給水手段の動作を伴う行程では、給水手段から回転ドラムへは洗剤入れやホースを通して給水するのが一般的であり、スタート・一時停止スイッチにより運転を一時停止して給水手段の動作を停止させ、回転ドラムの回転を停止させたとき、洗剤入れやホース内に水が残っている場合があるため、給水手段の動作を伴う行程では、ロック装置のロック保持状態を解除できないように構成することで、回転ドラムの回転を停止させた後に、洗剤入れやホース内に残った水が外部へ流れ出るのを防止することができる。
【００１６】
請求項３に記載の発明は、上記請求項１に記載の発明において、回転ドラム内の洗濯物を乾燥する乾燥行程を有し、制御手段は、乾燥行程においては、保持装置が、ロック装置のロック保持状態を解除しないように構成したものであり、乾燥行程では、回転ドラム内に熱風を供給しており、回転ドラムの温度が高くなっているため、乾燥行程でロック装置のロック保持状態を解除できないように構成することで、不用意に蓋体を開けて高温の回転ドラムや蓋体の裏側に触れるのを防止することができる。
【００１７】
【実施例】
以下、本発明の実施例について、図面を参照しながら説明する。なお、従来例と同じ構成のものは同一符号を付して説明を省略する。
【００１８】
（実施例１）
図２および図３に示すように、第１のモータ１５は、回転ドラム１を低速Ｎ１（たとえば、５３ｒｐｍ）で回転させるものであり、第２のモータ１６は、回転ドラム１を高速Ｎ２（たとえば、１０００ｒｐｍ）で回転させる。これら第１のモータ１５および第２のモータ１６は、インダクションモータで構成し、それぞれベルト１７、１８を介して従動プーリー１９に連結している。
【００１９】
従動プーリー１９は、２種の減速比を有しており、第１のモータ１５をベルト１７を介して減速比が大きい従動プーリー１９ａと連結し、第２のモータ１６をベルト１８を介して減速比が小さい従動プーリー１９ｂと連結し、回転ドラム１の回転中心に一端を固定した回転軸４の他端に固定している。
【００２０】
送風ファン２０は、温風ヒータ２１とともに温風供給手段２２を構成するもので、ファンモータ２３により駆動され、一端を熱交換器２４を通して回転ドラム１に連通し、他端を送風ダクト２５を通して回転ドラム１に連通している。
【００２１】
蓋体９は、機器本体８の開口部を開閉自在に設け、図１に示すように、フック２６を蓋開閉レバー２７を介して矢印Ａ方向に移動自在に装着し、このフック２１を機器本体８に設けたロック装置２８に係止して蓋体９を閉状態にロックできるようにしている。
【００２２】
すなわち、ロック装置２８は、ばね２９により上下方向に移動自在としており、蓋体９を閉じると、フック２６がばね２９のばね力に抗してロック装置２８を下方に押しながら開口部に矢印Ｂ方向に入り、フック２６の爪部２６ａがロック装置２８より奥に入ると、ロック装置２８がばね２９により上方に移動し、フック２６の爪部２６ａがロック装置２８に係止されて蓋体９を閉状態にロックする。蓋体９を開くときは、蓋開閉レバー２７を矢印Ｃ方向に操作するによりフック２６を上方に回動させてロック装置２８とのロックを外し、蓋体９を開くことができる。
【００２３】
保持装置３０は、運転時にロック装置２８をロック状態に保持するもので、ソレノイド３１と、ソレノイド３１に通電することにより動作する作動体３２と、作動体３２を２位置に係止する係止装置（図示せず）とを備えており、ソレノイド３１に通電すると作動体３２を引き込むとともに、ソレノイド３１の通電を遮断しても作動体３２をその状態に係止する。再度、ソレノイド３１に通電すると作動体３２の係止を外して、作動体３２を元の位置に復帰させるように構成している。
【００２４】
作動体３２の先端に作動片３２ａを設け、蓋体９を閉じた状態で、作動体３２を引き込んだとき、ロック装置２８に設けた保持部２８ａを係止し、ロック装置２８がばね２９のばね力で上方に移動できないようにしている。
【００２５】
制御装置３３は、第１のモータ１５、第２のモータ１６などを制御するもので、図４に示すように構成している。制御手段３４は、マイクロコンピュータで構成し、双方向性サイリスタなどで構成したパワースイッチング手段３５を介して、ヒータ１３、第１のモータ１５、第２のモータ１６、温風ヒータ２１、ファンモータ２３、ソレノイド３１、給水弁３６、排水ポンプ３７などを制御し、洗濯、すすぎ、脱水の一連の洗濯行程を逐次制御し、洗濯行程につづいて乾燥行程を制御する。ヒータ１３は、外槽３内の洗濯水を加熱し、給水弁３６は外槽３内に給水し、排水ポンプ３７は外槽３内の洗濯水を排水するものである。
【００２６】
入力設定手段３８は、使用者が必要な設定コース、動作のスタートなどを入力するもので、制御手段３４に入力している。表示手段３９は、入力設定手段３８による設定内容、動作状態などを表示する。水位検知手段４０は、外槽３内の水位を検知し、水温検知手段４１は、外槽３内の水温を検知して、それぞれ制御手段３４に入力している。回転数検知手段４２は、第１のモータ１５の回転数を検知することで回転ドラム１の回転数を検知し、制御手段３４に入力している。記憶手段４３は、一連の制御に必要なデータなどを記憶している。なお、４４は電源スイッチ、４５は商用電源である。
【００２７】
入力設定手段３８は、図５に示すように、「洗濯行程と乾燥行程とを運転」、「洗濯行程を運転」、「乾燥行程を運転」を設定する洗濯・乾燥設定スイッチ３８ａと、洗濯行程での異なる洗い時間、すすぎ回数、脱水時間を有する「標準コース」、「スピーディー」コース、「毛布」コース、「ウール」コースなどを設定するコース設定スイッチ３８ｂと、動作のスタート・一時停止を入力するスタート・一時停止スイッチ３８ｃと、洗い時間、すすぎ回数、脱水時間、乾燥時間をそれぞれ個別に設定する洗い時間設定スイッチ３８ｄ、すすぎ回数設定スイッチ３８ｅ、脱水時間設定スイッチ３８ｆ、乾燥時間設定スイッチ３８ｇとで構成している。
【００２８】
表示手段３９は、洗濯・乾燥設定スイッチ３８ａにより設定された行程と動作状態を表示する行程表示ランプ３９ａと、コース設定スイッチ３８ｂにより設定されたコースを表示するコース表示ランプ３９ｂと、洗い時間設定スイッチ３８ｄ、すすぎ回数設定スイッチ３８ｅ、脱水時間設定スイッチ３８ｆ、乾燥時間設定スイッチ３８ｇにより個別に設定された洗い時間、すすぎ回数、脱水時間、乾燥時間を表示する洗い時間表示ランプ３９ｃ、すすぎ回数表示ランプ３９ｄ、脱水時間表示ランプ３９ｅ、乾燥時間表示ランプ３９ｆと、運転終了までの残時間を表示する残時間表示ランプ３９ｇと、蓋体９のロック状態を表示する蓋ロック表示ランプ３９ｈとで構成している。
【００２９】
制御手段３４は、洗濯行程では、洗濯開始時に回転ドラム１内の洗濯物の量を検知した後、給水弁３６を御して回転ドラム１内に給水し、回転ドラム１を第１のモータ１５によって低速で回転駆動して洗濯し、洗濯が終了すると、排水ポンプ３７を駆動して排水し、「すすぎ」に入り、シャワーすすぎに後、「洗濯」と同様の動作を行うためすすぎと中間脱水との組み合わせを複数回行う。中間脱水では、回転ドラム１は高速で回転駆動し、洗濯物を遠心脱水する。「すすぎ」の後の「脱水」でも、中間脱水と同様に、回転ドラム１を高速で回転駆動し、洗濯物を遠心脱水するようにしている。
【００３０】
また、洗濯・乾燥設定スイッチ３８ａにより、「洗濯行程と乾燥行程を運転」を設定すると、脱水した後、熱風供給手段２２より回転ドラム１に熱風を供給し、回転ドラム１内の洗濯物を乾燥するようにしている。
【００３１】
洗濯開始時に行う洗濯物の量を検知では、洗濯物が乾いた状態で、回転数検知手段４２の出力を入力し、回転ドラム１を第２のモータ１６で洗濯物がドラム１の内壁に張り付く回転数（たとえば、６００ｒｐｍ）で駆動し、第２のモータ１６を遮断した後のドラム１の惰性回転数の変化（たとえば、５００ｒｐｍから６秒後の回転数の変化）でドラム１内の洗濯物の量を検知するようにしている。
【００３２】
中間脱水と「すすぎ」の後の「脱水」では、排水した後、回転ドラム１を洗濯時の回転数Ｎ１（５３ｒｐｍ）で駆動する布ほぐし行程と、洗濯時の回転数から洗濯物が回転ドラム１の内壁に張り付く回転数Ｎ３（１００ｒｐｍ）に徐々に回転数を上昇させる布バランス行程と、回転数Ｎ３で回転ドラム１内の洗濯物の片寄りを判定する布アンバランス判定行程と、布アンバランス判定行程の後に洗濯物を脱水する回転数Ｎ２で駆動する脱水行程とを有している。
【００３３】
また、制御手段３４は、スタート・一時停止スイッチ３８ｃをオンして運転を開始したとき、ソレノイド３１に通電して作動体３２を動作させ、ロック装置２８の動きを規制してロック状態に保持し、運転中にスタート・一時停止スイッチ３８ｃにより運転を一時停止したとき、回転ドラム１内の水位が所定水位以下で、回転ドラム１が回転停止後、ソレノイド３１に通電して作動体３２を動作させ、ロック装置２８のロック状態を解除できるように構成している。
【００３４】
上記構成において動作を説明すると、蓋体９を開いて回転ドラム１内に洗濯物を投入し、蓋体９を閉じて電源スイッチ４４をオンした後、入力設定手段３８のスタート・一時停止スイッチ３８ｃをオンすると、ソレノイド２５に通電され、ロック装置２８の動きを規制してロック状態に保持し、蓋体９を開くことができないようにした後、運転を開始する。
【００３５】
洗濯開始時に、回転ドラム１を第２のモータ１６で洗濯物がドラム１の内壁に張り付く回転数（６００ｒｐｍ）で駆動し、第２のモータ１６を遮断した後のドラム１の惰性回転数の変化でドラム１内の洗濯物の量を検知した後、給水弁３６をオンして給水し、水位検知手段４０により所定の水位を検知すると給水を停止し、第１のモータ１５を駆動する。「洗濯」では、回転ドラム１は第１のモータ１５によって低速Ｎ１で回転駆動され、回転ドラム１内の洗濯物は持ち上げられて水面上に落下される。
【００３６】
このとき、ヒータ１３に通電して外槽３内の洗濯水を加熱し、水温検知手段４１により外槽３内の水温を検知して、洗濯水の温度をほぼ一定の温度に制御する。「洗濯」が終了すると、排水ポンプ３７が動作して外槽３内の洗濯水を排水する。その後、すすぎ行程を経由して脱水行程では、回転ドラム１は高速で回転駆動され、洗濯物は遠心脱水される。
【００３７】
つぎに、ロック装置２８をロック状態に保持し、蓋体９を開閉できないようにするときの動作を図６を参照しながら説明する。図６（ａ）は蓋体９を閉じてロック装置２８により閉状態にロックされた状態を示しており、ソレノイド３１に通電していないため、作動体３２は引き込まれていない。この状態では、作動体３２の先端に設けた作動片３２ａと、ロック装置２８に設けた保持部２８ａとは係止されないため、蓋開閉レバー２７を操作してフック２６を上方に回動させることにより、ロック装置２８とのロックを外し、蓋体９を開くことができる。
【００３８】
つぎに、蓋体９を閉じて、電源スイッチ４４をオンし、スタート・一時停止スイッチ３８ｃをオンすると、ソレノイド３１に通電され、作動体３２は図６（ｂ）に示すように、引き込まれる。このため、ロック装置２８に設けた保持部２８ａは、作動体３２の先端に設けた作動片３２ａに係止され、ロック装置２８の動きを規制してロック状態に保持し、蓋開閉レバー２７を操作しても蓋体９を開くことができない。このとき、蓋体９をロック状態に保持していることを表示する蓋ロック表示ランプ３９ｈを点灯し、蓋体９のロック状態を表示する。
【００３９】
この状態で、たとえば、洗濯開始時に行う洗濯物の量の検知時、「すすぎ」での中間脱水時など、回転ドラム１内の水位が所定水位以下のときに、スタート・一時停止スイッチ３８ｃにより運転を一時停止すると、一時停止により回転ドラム１が回転を停止した後、ソレノイド３１に通電して作動体３２を動作させ、ロック装置２８のロック状態を解除する。その結果、蓋体９を開けることができる。
【００４０】
したがって、洗濯開始時に回転ドラム１内の洗濯物の量を検知するときなどで、一時停止スイッチ３８ｃにより運転を一時停止することにより、蓋体９を開けることができ、洗濯物の追加、または取り出しをすることができる。また、中間脱水または「すすぎ」の後の「脱水」で、布ほぐし行程での布ほぐしが不十分で、布アンバランス判定行程で回転ドラム１内の洗濯物の片寄りが大きいと判定し、布アンバランス判定行程の後の脱水行程で回転ドラム１の回転数が立ち上がらない場合に、一時停止スイッチ３８ｃにより運転を一時停止し、蓋体９を開いて洗濯物をほぐすことにより、回転数Ｎ２まで立ち上げることができる。
【００４１】
（実施例２）
図４における制御手段３４は、給水弁３６の動作を伴う行程では、運転中にスタート・一時停止スイッチ３８ｃにより運転を一時停止しても、保持装置３０を構成するソレノイド３１に通電せずに、ロック装置２８のロック状態を解除できないように構成している。他の構成は上記実施例１と同じである。
【００４２】
給水弁３６の動作を伴う行程は、「洗濯」、「すすぎ」などの給水する場合、給水した後、回転ドラム１の回転によって、洗濯物に水が浸み込むため補給水する場合、シャワーすすぎなどが挙げられる。なお、シャワーすすぎは、洗濯終了後の「すすぎ」の最初に、回転ドラム１を洗濯物が回転ドラム１の内壁に張り付く回転数で駆動しながら、給水弁３６を開いて洗濯物に水を注いで、すすぐものである。
【００４３】
上記構成において動作を説明すると、蓋体９を開いて回転ドラム１内に洗濯物を投入し、蓋体９を閉じて電源スイッチ４４をオンした後、入力設定手段３８のスタート・一時停止スイッチ３８ｃをオンすると、ソレノイド２５に通電され、ロック装置２８の動きを規制してロック状態に保持し、蓋体９を開くことができないようにした後、運転を開始する。
【００４４】
給水弁３６の動作を伴う行程では、給水弁３６から回転ドラム１へはホースや洗剤入れ（図示せず）を通して給水するのが一般的であり、スタート・一時停止スイッチ３８ｃにより運転を一時停止して給水弁３６の動作を停止させ、回転ドラム１の回転を停止させたとき、洗剤入れやホース内に水が残っている場合がある。このため、回転ドラム１の回転を停止させた後に、ロック装置２８のロック保持状態を解除できるようにすると、蓋体９を開けたとき、洗剤入れやホース内に残った水が飛散する。
【００４５】
本実施例では、給水弁３６の動作を伴う行程では、ロック装置２８のロック保持状態を解除できないように構成することで、回転ドラム１の回転を停止させた後に、洗剤入れやホース内に残った水が外部へ流れ出るのを防止することができる。
【００４６】
（実施例３）
図４における制御手段３４は、入力設定手段３８の洗濯・乾燥設定スイッチ３８ａにより、「洗濯行程と乾燥行程とを運転」または「乾燥行程を運転」を設定し、乾燥行程に入ったとき、スタート・一時停止スイッチ３８ｃにより運転を一時停止しても、保持装置３０を構成するソレノイド３１に通電せずに、ロック装置２８のロック状態を解除できないように構成している。他の構成は上記実施例１と同じである。
【００４７】
上記構成において動作を説明すると、蓋体９を開いて回転ドラム１内に洗濯物を投入し、蓋体９を閉じて電源スイッチ４４をオンした後、入力設定手段３８のスタート・一時停止スイッチ３８ｃをオンすると、ソレノイド２５に通電され、ロック装置２８の動きを規制してロック状態に保持し、蓋体９を開くことができないようにした後、運転を開始する。
【００４８】
熱風供給手段２２より回転ドラム１内に熱風を供給しており、回転ドラム１の温度が高くなっている。スタート・一時停止スイッチ３８ｃにより運転を一時停止して回転ドラム１の回転を停止させた後に、ロック装置２８のロック保持状態を解除できるようにすると、高温の回転ドラム１や蓋体９の裏側に触れるおそれがある。
【００４９】
本実施例では、乾燥行程では、ロック装置２８のロック保持状態を解除できないように構成することで、不用意に蓋体９を開けて、高温の回転ドラム１や蓋体９の裏側に触れるのを防止することができる。
【００５０】
【発明の効果】
以上のように本発明の請求項１に記載の発明によれば、洗濯物を収納し略水平方向に回転軸を有する回転ドラムと、前記回転ドラムを内部に回転自在に配設する外槽と、前記回転ドラムの開口部を開閉する蓋体と、前記蓋体を閉状態にロックするロック装置と、前記ロック装置をロック状態に保持する保持装置と、スタート・一時停止スイッチを有する入力設定手段と、前記回転ドラムを回転駆動するモータと、前記モータの回転数を検知することで前記回転ドラムの回転数を検知する回転数検知手段と、前記外槽内の洗濯水の水位を検知する水位検知手段と、前記入力設定手段、回転数検知手段および水位検知手段等の出力を入力し前記保持装置およびモータ等を制御する制御手段とを備え、前記制御手段は、前記入力設定手段の前記スタート・一時停止スイッチにより運転を一時停止したとき、前記水位検知手段により検知した前記外槽内の水位が所定水位以下で、前記回転数検知手段により前記回転ドラムが回転を停止したことを検知した後、前記保持装置が、前記ロック装置のロック状態を解除するように構成したから、外部からスタート・一時停止スイッチを操作することで、水位検知手段により検知した前記外槽内の水位が所定水位以下で、前記回転数検知手段により前記回転ドラムが回転を停止したことを検知した後、蓋体を開閉することができ、運転の途中で洗濯物の追加、または取り出しをすることができる。
【００５１】
また、請求項２に記載の発明によれば、外槽内に給水する給水手段を備え、制御手段は、前記給水手段の動作を伴う行程では、保持装置が、ロック装置のロック保持状態を解除しないように構成したから、スタート・一時停止スイッチにより運転を一時停止して給水手段の動作を停止させ、回転ドラムの回転を停止させたとき、洗剤入れやホース内に残った水が外部へ流れ出るのを防止することができる。
【００５２】
また、請求項３に記載の発明によれば、回転ドラム内の洗濯物を乾燥する乾燥行程を有し、制御手段は、乾燥行程においては、保持装置が、ロック装置のロック保持状態を解除しないように構成したから、不用意に蓋体を開けて高温の回転ドラムや蓋体の裏側に触れるのを防止することができる。
【図面の簡単な説明】
【図１】  本発明の一実施例のランドリー機器の蓋ロック装置の一部切欠した斜視図
【図２】  同蓋ロック装置を備えたランドリー機器の断面図
【図３】  同蓋ロック装置を備えたランドリー機器の一部切欠した斜視図
【図４】  同蓋ロック装置を備えたランドリー機器のブロック回路図
【図５】  同蓋ロック装置を備えたランドリー機器の操作表示部の拡大正面図
【図６】  （ａ）同ランドリー機器の蓋ロック装置の蓋体をロックした状態の斜視図
（ｂ）同ランドリー機器の蓋ロック装置の蓋体をロック保持状態の斜視図
【図７】  従来の蓋ロック装置を備えたランドリー機器の断面図
【符号の説明】
１  回転ドラム
４  回転軸
９  蓋体
２８  ロック装置
３０  保持装置
３８  入力設定手段
３８ｃ  スタート・一時停止スイッチ
【図１】
0003820667.tif 000002
【図２】
0003820667.tif 000003
【図３】
0003820667.tif 000004
【図４】
0003820667.tif 000005
【図５】
0003820667.tif 000006
【図６】
0003820667.tif 000007
【図７】
0003820667.tif 000008